(57)【要約】【課題】物理的に接続されていないネットワーク間において、記号、文字、図形などの電子データの授受を行うことで、コンピュータウィルス感染や外部ネットワークからの侵入のリスクを負うことなくネットワーク間で連続的に情報伝達を行う情報伝達システムを提供する。【解決手段】情報伝達システムは、第１の端末４が変換手段３１によってＣＳＶデータ２１ａを所定の文字、図形または記号２２に変換し、表示手段３２によって所定の文字、図形または記号２２を表示し、第２の端末６が撮影手段３３によって所定の文字、図形または記号２２を撮影して画像データ２３として入力し、再変換手段３４によって画像データ２３をＣＳＶデータ２１ｂに再変換する。【選択図】図３
2011090480.tif 000002
【特許請求の範囲】
【請求項１】
第１の端末から第２の端末に情報を伝達する情報伝達システムであって、
前記第１の端末は、
伝達情報を所定の文字、図形または記号に変換する変換手段と、
前記変換手段によって変換された所定の文字、図形または記号を表示する表示手段と、
を具備し、
前記第２の端末は、
前記表示手段によって表示された所定の文字、図形または記号を撮影する撮影手段と、
前記撮影手段によって撮影された所定の文字、図形または記号を、前記伝達情報に再変換する再変換手段と、
を具備することを特徴とする情報伝達システム。
【請求項２】
前記表示手段は、表示する所定の文字、図形または記号を第１の所定時間ごとに変更し、
前記撮影手段は、前記表示手段によって表示された所定の文字、図形または記号を第２の所定時間ごとに撮影することを特徴とする請求項１に記載の情報伝達システム。
【請求項３】
前記第２の所定時間は、前記第１の所定時間よりも短いものであり、
前記再変換手段は、前記撮影手段によって撮影された所定の文字、図形または記号が既に再変換したものと重複するか否かを判定することを特徴とする請求項２に記載の情報伝達システム。
【請求項４】
前記変換手段は、前記伝達情報に加えて、前記伝達情報を識別する第１の識別情報を含めて所定の文字、図形または記号に変換し、
前記再変換手段は、前記第１の識別情報に基づいて、既に再変換したものと重複するか否かを判定することを特徴とする請求項３に記載の情報伝達システム。
【請求項５】
前記変換手段は、前記伝達情報を所定量ごとに分割し、前記伝達情報と前記第１の識別情報に加えて、分割した情報を識別する第２の識別情報を更に含めて所定の文字、図形または記号に変換し、
前記再変換手段は、前記第１の識別情報と前記第２の識別情報に基づいて、既に再変換したものと重複するか否かを判定した上で、分割されたデータを正しい順番で結合することを特徴とする請求項４に記載の情報伝達システム。
【請求項６】
前記変換手段によって変換する所定の文字、図形または記号は２次元コードであることを特徴とする請求項１から請求項５のいずれかに記載の情報伝達システム。
【請求項７】
前記伝達情報は、数値、文字、図形、記号または画像であることを特徴とする請求項１から請求項６のいずれかに記載の情報伝達システム。
【請求項８】
第１の端末を、
伝達情報を所定の文字、図形または記号に変換する変換手段と、
前記変換手段によって変換された所定の文字、図形または記号を表示する表示手段として機能させ、
第２の端末を、
前記表示手段によって表示された所定の文字、図形または記号を撮影する撮影手段と、
前記撮影手段によって撮影された所定の文字、図形または記号を、前記伝達情報に再変換する再変換手段として機能させることを特徴とするプログラム。
【発明の詳細な説明】
【技術分野】
【０００１】
本発明は、２つの物理的に切り離されたネットワーク間において情報を伝達する情報伝達システム等に関するものである。
【背景技術】
【０００２】
インターネットに接続される特定のコンピュータネットワークは、一般的に外部のネットワークから内部のネットワークへ不法に侵入されることを防止し、内部のネットワークの安全を維持するために、ファイアウォールと称するソフトウェアあるいはそのソフトウェアを搭載したハードウェアにより外部との通信を制御されている。
【０００３】
さらに、ネットワークに取り込まれた電子データなどもウィルス対策ソフトウェアなどを導入し、外部のネットワークから送信されてきたデータ内に存在するウィルス等を検知および対策することでシステムの安全な状態を維持している。
【０００４】
また、内部のネットワークが、さらにいくつかのネットワーク群から構成されているような場合において、その内部ネットワークのうち、企業内の基幹システムを担うような、より重要なネットワークについては、さらに厳重なアクセス制限などを課すことで、システムのセキュリティを維持している。
【０００５】
しかし、物理的に情報端末が接続されている以上、ウィルス対策などを十分に施しても、さらにこれを打ち破るハッカーやウィルスの攻撃を受けるなどネットワークの安全性には完全を期し得ない。
【０００６】
一方、２つのネットワークを完全に切り離してしまう場合には、特定のメディアなどでデータを授受することも考えられるが、その場合であっても、特定のメディアがウィルスによって汚染されている可能性があり、完全とはいえない。また、人手を介する必要があるなど、円滑なデータの授受においての課題があった。
【０００７】
データの授受に関しては、例えば、端末画面上に２次元のコードを表示して、これを読み取ることでデータの受け渡しを行うなどの構成が、特許文献１に開示されている。
【０００８】
また、データ放送においても２次元のコードを画面に表示してデータの取得を行う構成が、特許文献２に開示されている。
【０００９】
このように、単に暗号化した情報を物理的に接続されていない情報端末において、所定の電子情報の授受を行うシステムが鋭意開発されている。
【先行技術文献】
【特許文献】
【００１０】
【特許文献１】特開２００９−０７５６３７号公報
【特許文献２】特開２００９−０７７００６号公報
【発明の概要】
【発明が解決しようとする課題】
【００１１】
しかしながら、特許文献１、２に開示されているシステムの目的は、一時的なデータの授受にあり、ファイアウォール内における基幹ネットワークとそれ以外のネットワーク間の情報の授受を目的とするものではなく、そのための構成が開示されているわけでもない。
【００１２】
なお、従来の公開技術に目を転じても、物理的に接続されていないネットワーク間において、記号、文字、図形などの電子データの授受によって連続的に情報の伝達を行う技術が一切存在していないことをここに付言しておく。
【００１３】
本発明は、前述した問題点に鑑みてなされたもので、その目的とすることは、物理的に接続されていないネットワーク間において、記号、文字、図形などの電子データの授受を行うことで、コンピュータウィルス感染や外部ネットワークからの侵入のリスクを負うことなくネットワーク間で連続的に情報伝達を行う情報伝達システム等を提供することである。
【課題を解決するための手段】
【００１４】
前述した目的を達成するために第１の発明は、第１の端末から第２の端末に情報を伝達する情報伝達システムであって、前記第１の端末は、伝達情報を所定の文字、図形または記号に変換する変換手段と、前記変換手段によって変換された所定の文字、図形または記号を表示する表示手段と、を具備し、前記第２の端末は、前記表示手段によって表示された所定の文字、図形または記号を撮影する撮影手段と、前記撮影手段によって撮影された所定の文字、図形または記号を、前記伝達情報に再変換する再変換手段と、を具備することを特徴とする情報伝達システムである。第１の発明によって、第１の端末に対してハッカーやウィルスの混入を完全に阻止しながら、第１の端末から第２の端末に情報を伝達することができる。
【００１５】
また、第１の発明における前記表示手段は、表示する所定の文字、図形または記号を第１の所定時間ごとに変更し、前記撮影手段は、前記表示手段によって表示された所定の文字、図形または記号を第２の所定時間ごとに撮影することが望ましい。これによって、第１の端末と第２の端末がネットワークを介して同期を取ることなく、異なる情報を連続して伝達することができる。
【００１６】
また、第１の発明における前記第２の所定時間は、前記第１の所定時間よりも短いものであり、前記再変換手段は、前記撮影手段によって撮影された所定の文字、図形または記号が既に再変換したものと重複するか否かを判定した上で、分割されたデータを正しい順番で結合することが望ましい。これによって、第１の端末に表示された所定の文字、図形または記号を少なくとも１回は撮影するとともに、２回以上撮影して重複した所定の文字、図形または記号を後続の処理対象から外すことができる。従って、データの伝達漏れおよびデータの重複が発生せず、完全な情報を伝達することができる。
【００１７】
また、第１の発明における前記変換手段は、前記伝達情報に加えて、前記伝達情報を識別する第１の識別情報を含めて所定の文字、図形または記号に変換し、前記再変換手段は、前記第１の識別情報に基づいて、既に再変換したものと重複するか否かを判定することが望ましい。これによって、確実に重複データを判別することができる。
【００１８】
また、第１の発明における前記変換手段は、前記伝達情報を所定量ごとに分割し、前記伝達情報と前記第１の識別情報に加えて、分割した情報を識別する第２の識別情報を更に含めて所定の文字、図形または記号に変換し、前記再変換手段は、前記第１の識別情報と前記第２の識別情報に基づいて、既に再変換したものと重複するか否かを判定することが望ましい。これによって、データ容量が大きい情報を正確に伝達することができる。
【００１９】
第１の発明における前記変換手段によって変換する所定の文字、図形または記号は、例えば、２次元コードである。
また、第１の発明における前記伝達情報は、数値、文字、図形、記号または画像である。
【００２０】
第２の発明は、第１の端末を、伝達情報を所定の文字、図形または記号に変換する変換手段と、前記変換手段によって変換された所定の文字、図形または記号を表示する表示手段として機能させ、第２の端末を、前記表示手段によって表示された所定の文字、図形または記号を撮影する撮影手段と、前記撮影手段によって撮影された所定の文字、図形または記号を、前記伝達情報に再変換する再変換手段として機能させることを特徴とするプログラムである。
【発明の効果】
【００２１】
本発明による情報伝達システム等によれば、既存の記号化、暗号化の技術を利用しつつ、一方のコンピュータネットワーク上の情報端末から他方のコンピュータネットワーク上の情報端末にコンピュータウィルスの感染などのリスクをとることなく、極めて安全に情報の伝達を行うことを可能にする。したがって、極めて有効かつ安全なネットワーク間の情報伝達の仕組みを提供するものである。
【図面の簡単な説明】
【００２２】
【図１】第１の実施の形態における情報伝達システムを示す模式図
【図２】第１の端末４（第２の端末６）のハードウェア構成図
【図３】第１の実施の形態における情報伝達システムの概要を示すフロー図
【図４】伝達データの一例を示す図
【図５】本発明の情報伝達システムの処理の詳細を示すフローチャート
【図６】データの流れの一例を示す図
【図７】第２の実施の形態における情報伝達システムを示す模式図
【図８】第３の実施の形態における情報伝達システムを示す模式図
【発明を実施するための形態】
【００２３】
以下図面に基づいて、本発明の実施形態を詳細に説明する。なお、図示例は、説明を容易にするために、２つのネットワーク間における情報伝達の形態を示しているが、情報の伝達を行うネットワークの数は、３以上であってもよいことは勿論のことである。
【００２４】
＜第１の実施の形態＞
最初に、第１の実施の形態について説明する。
図１は、第１の実施の形態における情報伝達システムを示す模式図である。１は、公衆回線網、２は、外部から侵入するウィルスなどを阻止しネットワークを隔絶するためのファイアウォール、３は、伝達したいデータ（伝達データ）を所有する側の第１の内部ネットワーク（重要ネットワーク）、４は、第１の内部ネットワークに接続されている第１の端末、５は、伝達データを使用する側の第２の内部ネットワーク、６は、第２の内部ネットワークに接続されている第２の端末、７は、カメラ、８は、カメラ７と第２の端末６を接続するケーブルである。
【００２５】
第１の内部ネットワーク３は、無線、有線を問わず、外部（第２の内部ネットワーク５を含む。）と物理的に接続されていない。第２の内部ネットワーク５は、ファイアウォール２を介して公衆回線網１と接続している。
第１の端末４は、少なくとも液晶ディスプレイなどの表示手段を有するコンピュータである。
第２の端末６は、少なくともカメラ７が接続されたコンピュータ、またはカメラ７が内蔵されたコンピュータである。
ケーブル８は、図示しているが、必ずしも有線のケーブルである必要はなく無線のケーブルであってもよい。
【００２６】
図２は、第１の端末４（第２の端末６）のハードウェア構成図である。尚、図２のハードウェア構成は一例であり、用途、目的に応じて様々な構成を採ることが可能である。
【００２７】
第１の端末４（第２の端末６）は、制御部１１、記憶部１２、メディア入出力部１３、通信制御部１４、入力部１５、表示部１６、周辺機器Ｉ／Ｆ部１７等が、バス１８を介して接続される。
【００２８】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００２９】
ＣＰＵは、記憶部１２、ＲＯＭ、記録媒体等に格納されるプログラムをＲＡＭ上のワークメモリ領域に呼び出して実行し、バス１８を介して接続された各装置を駆動制御し、第１の端末４（第２の端末６）が行う後述する処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３０】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理をコンピュータに実行させるためのアプリケーションプログラムが格納されている。
これらの各プログラムコードは、制御部１１により必要に応じて読み出されてＲＡＭに移され、ＣＰＵに読み出されて各種の手段として実行される。
【００３１】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。本実施の形態では、第１の端末４のメディア入出力部１３を介してデータの入力を行うことはない。
通信制御部１４は、通信制御装置、通信ポート等を有し、他のコンピュータ間との通信を媒介する通信インタフェースであり、他のコンピュータ間との通信制御を行う。本実施の形態では、第１の端末４と第２の端末６が、通信制御部１４を介して通信を行うことはない。
【００３２】
入力部１５は、データの入力を行い、例えば、キーボード、マウス等のポインティングデバイス、テンキー等の入力装置を有する。
入力部１５を介して、第１の端末４（第２の端末６）に対して、操作指示、動作指示、データ入力等を行うことができる。
表示部１６は、ＣＲＴモニタ、液晶パネル等のディスプレイ装置、ディスプレイ装置と連携してコンピュータのビデオ機能を実現するための論理回路等（ビデオアダプタ等）を有する。本実施の形態では、第１の端末４の表示部１６は、表示される画像が図１に示すカメラ７によって撮影可能な位置に配置される。
【００３３】
周辺機器Ｉ／Ｆ（インタフェース）部１７は、第１の端末４（第２の端末６）に周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。本実施の形態では、図１に示すカメラ７が、周辺機器Ｉ／Ｆ部１７によって接続され、撮影した画像を第２の端末６に転送する。また、カメラ７は、ＬＡＮ上に接続されたカメラ、いわゆるＷＥＢカメラでも良く、その場合には通信制御部１４を介して、撮影した画像を第２の端末６に転送する。
バス１８は、各装置間の制御信号、データ信号等の授受を媒介する経路である。
【００３４】
図３は、第１の実施の形態における情報伝達システムの概要を示すフロー図である。図４は、伝達データの一例を示す図である。
【００３５】
図３に示すように、２以上のネットワーク間において、少なくとも、伝達データを所有する第１の内部ネットワーク３側の第１の端末４が、変換手段３１と表示手段３２を有し、伝達データを利用する第２の内部ネットワーク５側の第２の端末６が、撮影手段３３と再変換手段３４を有する。
【００３６】
２以上のネットワークは、図１に示す通り、例えば、一方が外部接続されているネットワークであり、他方が、外部接続されていないネットワークである。このような場合、例えば、外部接続されていないネットワークに基幹システムを構築し、他方のシステムを外部接続されたシステムとし、本発明を適用することで、基幹システムに対しては外部からの不正な侵入やウィルスの感染を完全に防止しながら、基幹システムのデータを外部接続されたシステムにおいて利用することができる。
【００３７】
伝達データは、例えば、数千バイト程度の数値データを対象とし、具体的には、図４に示すような表データを対象とする。図４は、ガスの日別使用量に関する数値データである。尚、図４では、便宜上、数値データを記号「ａ１」等で示している。
尚、伝達データは、数値データのみに限定するものではなく、例えば、文字、図形、記号、画像等でも良く、コンピュータの処理能力に応じて様々なデータを対象とすることができる。本実施の形態では、大容量の伝達データを対象とする為の様々な仕組みを提供する。
【００３８】
変換手段３１は、まず図４に示すような表データを、例えば、ＣＳＶ（Ｃｏｍｍａ  Ｓｅｐａｒａｔｅｄ  Ｖａｌｕｅｓ）データ２１ａなどの簡易な数値データとし、さらに所定の読み取り可能な変換をした文字、図形、記号、もしくはこれらの組み合わせなどに変換するものである。ＣＳＶデータ２１ａは、データをカンマ(",")で区切って並べたファイル形式の数値データである。所定の読み取り可能な変換は、例えば、２次元コードのような２次元図形データであってもよいし、バーコードのようなデータであってもよい。
【００３９】
所定の文字、図形または記号２２は、例えば、ＱＲコード（登録商標）である。ＱＲコード（登録商標）の場合、２１×２１セルから１７７×１７７セルまで、４セル刻みで決められており、数字のみであれば最大７０８９文字、英数（ＵＳ−ＡＳＣＩＩ)であれば、最大４２９６文字、バイナリ（８ビット）データの場合は、最大２９５３バイト、漢字・かな（Ｓｈｉｆｔ−ＪＩＳ)の場合は、最大１８１７文字のデータ容量がある。
【００４０】
また、変換手段３１は、ＣＳＶデータ２１ａを既知の暗号化方法（共通鍵暗号、公開鍵暗号など）によって暗号化した後、所定の読み取り可能な文字、図形、記号、もしくはこれらの組み合わせなどに変換するようにしても良い。これによって、情報伝達のセキュリティを高めることができる。
【００４１】
表示手段３２は、所定の文字、図形または記号２２を表示部１６に表示するものである。表示手段３２は、撮影手段３３によって所定の文字、図形または記号２２が撮影可能となるように、所定の解像度において表示部１６に表示する。
【００４２】
表示手段３２は、画面上に複数の所定の文字、図形または記号２２を表示するものであっても良い。また、表示手段３２は、細かく区切った時間ごとに、異なる所定の文字、図形または記号２２を次々に表示するものであっても良い。
【００４３】
撮影手段３３は、図１に示すカメラ７である。カメラ７は、第１の端末４の表示手段３２によって表示された情報（所定の文字、図形または記号２２）を認識できる装置であれば足りる。撮影手段３３は、表示手段３２に表示されている所定の文字、図形または記号２２を撮影し、画像データとして第２の端末６に転送する。
【００４４】
再変換手段３４は、撮影手段３３で撮影し、取得した画像データ２３を、変換手段３１と逆の手順で、ＣＳＶデータ２１ｂなどの数値データに再変換するものである。
【００４５】
このように、本発明の情報伝達システムは、第１の端末４が変換手段３１によってＣＳＶデータ２１ａを所定の文字、図形または記号２２に変換し、表示手段３２によって所定の文字、図形または記号２２を表示し、第２の端末６が撮影手段３３によって所定の文字、図形または記号２２を撮影して画像データ２３として入力し、再変換手段３４によって画像データ２３をＣＳＶデータ２１ｂに再変換する。撮影手段を持つのが第２の端末６のみであるため、第１の端末４は第２の端末６からの情報を受け取る手段が無い。そのため、第１の端末４に対してはハッカーやウィルスの混入を阻止しながら、第１の端末４から第２の端末６に情報を伝達することができる。
【００４６】
図５は、本発明の情報伝達システムの処理の詳細を示すフローチャートである。図６は、データの流れの一例を示す図である。図５では、第１の端末４と第２の端末６の処理を示しているが、両者が通信制御部１４を介して互いに信号等を送受信することはない。
【００４７】
最初に、第１の端末４の処理について説明する。図５に示すように、第１の端末４の制御部１１は、第１の内部ネットワーク３内から伝達データを取得する（Ｓ１１）。例えば、基幹システムのサーバからデータを取得しても良いし、自らの記憶部１２に記憶されているデータを取得しても良い。図６では、伝達データとしてファイルＡのデータが示されている。ファイルＡは、例えば、ＣＳＶファイルである。
【００４８】
次に、制御部１１は、所定の文字、図形または記号のデータ容量（例えば、２次元コードのデータ容量）に応じて、所定量ごとに伝達データを分割する（Ｓ１２）。図６では、ファイルＡを分割データａ〜ｃに分割している。尚、伝達データが所定の文字、図形または記号のデータ容量に収まる場合には分割する必要はない。
【００４９】
以下のＳ１３からＳ１８は、Ｓ１２にて生成した分割データごとに処理を行う。
制御部１１は、分割データの元ファイルと分割データを一意に識別するための識別データを付与する（Ｓ１３）。図６に示す例であれば、例えば、分割データａに対して「Ａ１」を付与する。ここで、分割データｃのように、元ファイルの最後のデータについては、最後のデータであることを示す情報も付与することが望ましい。図６に示す例では、分割データｃの識別データとして、「Ａ３Ｅ」を付与する。「Ｅ」は、元ファイルの最後のデータを示している。
尚、伝達データが所定の文字、図形または記号のデータ容量に収まる場合には分割を行わないので、識別データは元ファイルを一意に識別するもので足りる。
【００５０】
次に、制御部１１は、分割データを所定の文字、図形または記号に変換する（Ｓ１４）。ここで、制御部１１は、伝達データに加えて、Ｓ１３にて付与した識別データも含めて所定の文字、図形または記号に変換する。図６に示す例であれば、例えば、分割データａに対して、識別データ「Ａ１」を含めて所定の文字、図形または記号に変換する。
【００５１】
次に、制御部１１は、Ｓ１４にて生成した所定の文字、図形または記号を表示部１６に表示する（Ｓ１５）。図６に示す例であれば、例えば、所定の文字、図形または記号ａを表示部１６に表示する。尚、第１の端末６は、スクリーンセーバ（＝一定時間入力部１５から入力がなかったときに自動的に所定のアニメーション等を表示する機能）をオフにしておく。
【００５２】
次に、制御部１１は、単位時間の経過を待ち（Ｓ１６）、第１の所定時間が経過したかどうかを判定し（Ｓ１７）、経過していない場合はＳ１６を繰り返し、経過している場合はＳ１８に進む。
第１の所定時間は、Ｓ１５における所定の文字、図形または記号の表示時間を示すものである。第１の所定時間は、ユーザが任意に設定可能とすることが望ましい。
尚、Ｓ１５における所定の文字、図形または記号の表示時間を制御する処理は、Ｓ１６、Ｓ１７の方法に限定されるものではない。
【００５３】
次に、制御部１１は、分割データを全て表示したかどうかを判定する（ｓ１８）。全てを表示していない場合はＳ１３から繰り返す。全てを表示している場合は処理を終了する。図６に示す例では、所定の文字、図形または記号ａから順次表示し、所定の文字、図形または記号ｅを表示して第１の所定時間が経過すると処理を終了する。このように、制御部１１は、表示する所定の文字、図形または記号を第１の所定時間ごとに変更する。
【００５４】
次に、第２の端末６の処理について説明する。図５に示すように、第２の端末６の制御部１１は、単位時間の経過を待ち（Ｓ２１）、第２の所定時間が経過したかどうかを判定し（Ｓ２２）、経過していない場合はＳ２１を繰り返し、経過している場合はＳ２３に進む。
第２の所定時間は、後述するＳ２３における所定の文字、図形または記号の撮影間隔を示すものである。第２の所定時間は、ユーザが任意に設定可能とすることが望ましい。
また、第２の所定時間は、第１の所定時間よりも短く設定するように制限することが望ましい。これによって、第１の端末４の表示部１６に表示された所定の文字、図形または記号は、少なくとも１回はカメラ７によって撮影されることになり、データの伝達漏れが発生することがない。
尚、Ｓ２３における所定の文字、図形または記号の撮影間隔を制御する処理は、Ｓ２１、Ｓ２２の方法に限定されるものではない。
【００５５】
次に、制御部１１は、カメラ７に所定の文字、図形または記号の撮影を指示し、カメラ７が撮影した画像データを入力する（Ｓ２３）。図６に示す例では、例えば、第１の端末４の表示部１６に所定の文字、図形または記号ａが表示されている間に撮影を行うと、画像データａが入力される。
【００５６】
次に、制御部１１は、Ｓ２３にて撮影した所定の文字、図形または記号を分割データに再変換する（Ｓ２４）。図６に示す例では、例えば、画像データａを分割データａに再変換する。尚、再変換した分割データには、第１の端末４がＳ１３にて付与した識別データが含まれている。
【００５７】
次に、制御部１１は、Ｓ２３にて撮影した所定の文字、図形または記号が、既に撮影して再変換したものと重複するか否かを識別データに基づいて判定し（Ｓ２５）、重複する場合にはＳ２１から繰り返し、重複しない場合にはＳ２６に進む。
図６に示す例では、画像データａを再変換した分割データａには識別データ「Ａ１」が含まれている。識別データ「Ａ１」は、既に再変換したものに含まれていない（この場合は、まだ再変換したものがない。）ことから、重複していないと判断する。
また、画像データｂ１を再変換した分割データｂ１には識別データ「Ａ２」が含まれている。識別データ「Ａ２」は、既に再変換したものに含まれていないことから、重複していないと判断する。
また、画像データｂ２を再変換した分割データｂ２には識別データ「Ａ２」が含まれている。この場合、識別データ「Ａ２」は、既に再変換したものに含まれていることから、重複すると判断する。
【００５８】
次に、制御部１１は、再変換した分割データを記憶部１２またはＲＡＭに記憶し、保持する（Ｓ２６）。ここで、識別データと分割データは、分離して記憶しておくことで、Ｓ２５の判定処理、後述するＳ２８の分割データの結合処理が容易となる。尚、Ｓ２５の判定処理は、一つ前の識別データと重複するかどうかを判定すれば十分なので、一つ前の識別データのみをＲＡＭに記憶するようにしても良い。
【００５９】
次に、制御部１１は、元ファイルから分割され、変換された所定の文字、図形または記号を全て撮影したかどうか確認し（Ｓ２）。全てを撮影していない場合にはＳ２１から繰り返し、全てを撮影している場合にはＳ２８に進む。制御部１１は、Ｓ２６で保持した分割データに対して、最後のデータであることを示す情報が付与されていれば、全てを撮影したと判断する。
図６に示す例では、分割データｃに最後のデータであることを示す情報「Ｅ」が付与されていることから、分割データｃを保持した時点でＳ２８に進むことになる。
【００６０】
次に、制御部１１は、Ｓ２６にて保持した全ての分割データを結合し、ファイルＡを生成する（Ｓ２８）。図６に示す例では、分割データｂ２を除く、分割データａ、ｂ１、ｃを結合し、ファイルＡを生成する。
【００６１】
以上、図６に示すファイルＡを伝達データの一例として説明したが、伝達データとするファイルは複数存在しても良い。
また、図５では処理の終了を示しているが、ユーザが処理の終了を指示するまで、処理を継続するようにしても良い。これによって、情報の伝達を自動化することができる。
また、第１の所定時間（所定の文字、図形または記号の表示時間）と第２の所定時間（所定の文字、図形または記号の撮影間隔）を短くしていくことで、単位時間当たりの情報伝達量は大きくなる。
【００６２】
以上、本実施の形態における情報伝達システムでは、第１の端末４が所定の文字、図形または記号を第１の所定時間ごとに変更して表示し、第２の端末６が第２の所定時間ごとに所定の文字、図形または記号を撮影する。これによって、第１の端末４と第２の端末６がネットワークを介して同期を取ることなく、異なる情報を連続して伝達することができる。
【００６３】
また、本実施の形態における情報伝達システムでは、第２の所定時間が第１の所定時間よりも短く、第２の端末６が既に再変換したものと重複するか否かを判別する。これによって、第１の端末４に表示された所定の文字、図形または記号を少なくとも１回は撮影するとともに、２回以上撮影して重複した所定の文字、図形または記号を後続の処理対象から外すことができる。これによって、データの伝達漏れおよびデータの重複が発生せず、完全な情報を伝達することができる。
【００６４】
また、本実施の形態における情報伝達システムでは、第１の端末４が、伝達データに加えて識別データを含めて所定の文字、図形または記号に変換し、第２の端末６が、識別データに基づいて既に再変換したものと重複するか否かを判別する。これによって、確実に重複データを判別することができる。
【００６５】
また、本実施の形態における情報伝達システムでは、伝達データが所定の文字、図形または記号のデータ容量に収まらない場合には、第１の端末４が、所定量ごとに分割して分割データを生成し、伝達データに加えて、分割データを一意に識別する識別データを含めて所定の文字、図形または記号に変換し、第２の端末６が、識別データに基づいて分割データが重複するか否かを判定する。これによって、所定の文字、図形または記号のデータ容量を超えた情報を正確に伝達することができる。
【００６６】
＜第２の実施の形態＞
第２の実施の形態では、第１の実施の形態における第１の端末４と第２の端末６を複数設置し、並列して情報を伝達する。
【００６７】
図７は、第２の実施の形態における情報伝達システムを示す模式図である。図７に示すように、第２の実施の形態では、第１の内部ネットワーク３に複数の第１の端末４ａ、４ｂ、４ｃが接続され、第２の内部ネットワーク５に複数の第２の端末６ａが接続されている。
カメラ７ａ、７ｂ、７ｃは、それぞれ第１の端末４ａ、４ｂ、４ｃの表示部１６に表示される所定の文字、図形または記号が撮影可能となる位置に設置されている。
【００６８】
第１の端末４ａの制御部１１は、伝達データであるＣＳＶファイルを分割して分割データを生成し、必要に応じて、第１の端末４ｂ、４ｃに分割データを割り振る。
第１の端末４ａ、４ｂ、４ｃの制御部１１は、それぞれ担当する分割データを２次元データに変換し、表示部１６に表示する。処理の詳細は、図５におけるＳ１３〜Ｓ１８と同様である。
【００６９】
第２の端末６ａ、６ｂ、６ｃの制御部１１は、それぞれカメラ７ａ、７ｂ、７ｃに指示して所定の文字、図形または記号を撮影し、入力する。また、入力した画像データを分割データに再変換する。処理の詳細は、図５におけるＳ２１〜Ｓ２７と同様である。
第２の端末６ａは、第２の端末６ｂ、６ｃから再変換された分割データを収集し、自らが再変換した分割データとともに結合し、伝達データであるＣＳＶファイルを生成する。
【００７０】
上記の説明では、第１の端末４ａが分割データを割り振り、第２の端末６ａが分割データを結合するとしたが、それぞれサーバを設置して、サーバが分割データの割り振り処理、結合処理を行うようにしても良い。
【００７１】
第２の実施の形態では、複数の端末を用いて所定の文字、図形または記号の表示と撮影を行うので、第１の実施の形態と比較して、単位時間当たりの情報伝達量を増やすことができる。
【００７２】
＜第３の実施の形態＞
第３の実施の形態では、第１の実施の形態における第１の端末４と第２の端末６の両方の構成を備える端末９ａ、９ｂが互いに伝達元と伝達先となって情報を伝達する。
【００７３】
図８は、第３の実施の形態における情報伝達システムを示す模式図である。図８に示すように、第３の実施の形態では、端末９ａにケーブル８ａを介してカメラ７ａが接続されている。また、端末９ｂにもケーブル８ｂを介してカメラ７ｂが接続されている。
カメラ７ａは、端末９ｂの表示部１６に表示される所定の文字、図形または記号が撮影可能となる位置に設置されている。また、カメラ７ｂは、端末９ａの表示部１６に表示される所定の文字、図形または記号が撮影可能となる位置に設置されている。
【００７４】
最初に、端末９ａから端末９ｂに情報を伝達する処理について説明する。
端末９ａの制御部１１は、伝達データであるＣＳＶファイルを分割して分割データを生成し、分割データを２次元データに変換し、表示部１６に表示する。処理の詳細は、図５におけるＳ１３〜Ｓ１８と同様である。
次に、端末９ｂの制御部１１は、カメラ７ｂに指示して所定の文字、図形または記号を撮影し、入力する。また、入力した画像データを分割データに再変換する。処理の詳細は、図５におけるＳ２１〜Ｓ２７と同様である。
次に、端末９ｂの制御部１１は、再変換した分割データを結合し、伝達データであるＣＳＶファイルを生成する。
【００７５】
次に、端末９ｂから端末９ａに情報を伝達する処理について説明する。
端末９ｂの制御部１１は、端末９ａに伝達データであるＣＳＶファイルを分割して分割データを生成し、分割データを２次元データに変換し、表示部１６に表示する。処理の詳細は、図５におけるＳ１３〜Ｓ１８と同様である。
次に、端末９ａの制御部１１は、カメラ７ａに指示して所定の文字、図形または記号を撮影し、入力する。更に、入力した画像データを分割データに再変換する。処理の詳細は、図５におけるＳ２１〜Ｓ２７と同様である。
次に、端末９ａの制御部１１は、再変換した分割データを結合し、伝達データであるＣＳＶファイルを生成する。
【００７６】
第３の実施の形態によって、物理的に接続されていない端末同士が、従来の通信制御部１４を介したデータの送受信と同じように、双方向で情報を伝達することができる。
【００７７】
尚、第３の実施の形態においても、伝達データのファイル形式を限定することで、コンピュータウィルスの感染を防止することができる。例えば、伝達データをＣＳＶファイルのみに限定したとする。この場合、伝達先の端末が所定の文字、図形または記号を再変換した結果、ＣＳＶファイルの形式でなければ、不正なファイルとして削除するようにすれば良い。
【００７８】
以上、本発明の実施の形態について図面を用いて詳述してきたが、具体的な構成は、これらの実施形態に限定されるものではなく、本発明の要旨を逸脱しない範囲における設計変更などがあっても、それらは本発明に含まれるものである。
【符号の説明】
【００７９】
１………公衆回線網
２………ファイアウォール
３………第１の内部ネットワーク
４、４ａ、４ｂ、４ｃ………第１の端末
５………第２の内部ネットワーク
６、６ａ、６ｂ、６ｃ………第２の端末
７、７ａ、７ｂ、７ｃ………カメラ
８、８ａ、８ｂ、８ｃ………ケーブル
９ａ、９ｂ………端末
２１ａ、２１ｂ………ＣＳＶデータ
２２………所定の文字、図形または記号
２３………画像データ
３１………変換手段
３２………表示手段
３３………撮影手段
３４………再変換手段
【図１】
2011090480.tif 000003
【図２】
2011090480.tif 000004
【図３】
2011090480.tif 000005
【図４】
2011090480.tif 000006
【図５】
2011090480.tif 000007
【図６】
2011090480.tif 000008
【図７】
2011090480.tif 000009
【図８】
2011090480.tif 000010